(57)【要約】【課題】コネクタ挿抜力が低減でき、コネクタ体格の小型化が可能となるコネクタを提供する。【解決手段】コネクタ１１は、雄端子１７が電気的に接続される端子接続部１９と、端子接続部１９に連設されて導体２１が電気的に接続される導体接続部２３とを有する雌端子１３と、雌端子１３を保持する電気絶縁性の雌側ハウジング１５と、を備える。雌端子１３は、雄端子１７の嵌合方向と交差する方向に延出して平板状に形成された端子接続部１９に穿設された雄端子挿抜口３７と、雄端子挿抜口３７の開口周縁部に固定された固定側端４３から雄端子挿抜口中心に向って延びると共に、雄端子挿抜口３７の開口周縁部に沿って等間隔に配置されることで、自由側端４５が雄端子挿抜口３７に挿入された雄端子１７に対して弾性的に接触する複数のばね接触片４１と、を備える。【選択図】図２
2014216255.tif 000002
【特許請求の範囲】
【請求項１】
相手の雄端子が電気的に接続される端子接続部と、前記端子接続部に連設されて導体が電気的に接続される導体接続部とを有する雌端子と、
前記雌端子を保持する電気絶縁性の雌側ハウジングと、
を備えたコネクタであって、
前記雌端子は、
前記雄端子の嵌合方向と交差する方向に延出して平板状に形成された前記端子接続部に穿設された雄端子挿抜口と、
前記雄端子挿抜口の開口周縁部に固定された固定側端から雄端子挿抜口中心に向って延びると共に、前記雄端子挿抜口の開口周縁部に沿って所定間隔に配置されることで、自由側端が前記雄端子挿抜口に挿入された前記雄端子に対して弾性的に接触する複数のばね接触片と、
を備えることを特徴とするコネクタ。
【請求項２】
前記固定側端が、前記端子接続部の雄端子挿入側面と反対側の面に固定され、
前記自由側端の先端部が、前記雄端子挿抜口の中心近傍に配置されることを特徴とする請求項１に記載のコネクタ。
【請求項３】
前記固定側端が、前記端子接続部の雄端子挿入側面に固定され、
折り曲げ形成された前記自由側端の先端部が、前記雄端子の挿入時に、前記端子接続部の雄端子挿入側面と反対側の面上をスライドすることを特徴とする請求項１に記載のコネクタ。
【請求項４】
前記固定側端が、前記端子接続部の雄端子挿入側面に固定され、
折り曲げ形成された前記自由側端の先端部が、前記端子接続部の雄端子挿入側と反対側においてスライドを規制されることを特徴とする請求項３に記載のコネクタ。
【発明の詳細な説明】
【技術分野】
【０００１】
本発明は、コネクタに関する。
【背景技術】
【０００２】
相手の雄端子に対して雌端子が電気的に接続されるコネクタとしては、例えば特許文献１に開示されたシールドコネクタがある。このシールドコネクタ５０１は、図９に示すように、アルミカバー５０３によって覆われたＪ／Ｂ（ジャンクションボックス）５０５に待受け側コネクタ５０７が設けられ、この待受け側コネクタ５０７がアルミカバー５０３に設けられた取付開口５０９を通してアルミカバー５０３の外部に臨んでおり、アルミカバー５０３の取付開口５０９から待受け側コネクタ５０７に嵌合する。
シールドコネクタ５０１は、待受け側コネクタ５０７に嵌合可能なハウジング（雌側ハウジング）５１１と、ハウジング５１１の外周面を覆う金属製のシールドシェル５１３と、シールドシェル５１３に設けられ弾性変形可能な押込片５１５と、ハウジング５１１に設けられ押込片５１５と弾性的に接触可能な係合突起５１７と、を備える。ボルト締結を行うことでシールドシェル５１３がアルミカバー側に接近させられ、これに伴って押込片５１５は、ハウジング５１１を待受け側コネクタ５０７に押し込むようにして係合突起５１７に接触する。
【０００３】
待受け側コネクタ５０７は、前方に開口する形態をなすフード部５１９を有しており、このフード部５１９は、アルミカバー５０３の取付開口５０９を通してアルミカバー５０３の外部に臨んでいる。フード部５１９の内部には、複数の雄型のタブ端子（雄端子）５２１が設けられている。タブ端子５２１の前端側は、フード部５１９の奥壁から前方に突出する態様で配設されている一方、タブ端子５２１の後端側は、Ｊ／Ｂ５０５の内部に配設された回路基板（図示せず）に接続されている。
【０００４】
上記構成を有するシールドコネクタ５０１において、タブ端子５２１は、雌端子５２３の前端開口から内部に進入し、雌端子５２３の内部に端子長手方向に延びるように設けられた弾性接触片５２５と弾性的に接触する。タブ端子５２１と弾性接触片５２５とは、接触面同士が端子挿入方向に沿った面方向に摺接して電気的に接続される。この接触状態では、タブ端子５２１と弾性接触片５２５との間における有効な接触面積が確保されている。また、ロックアーム５２７のロック突部が被ロック部５２９に係止されることで、ハウジング５１１が待受け側コネクタ５０７と正規嵌合した状態に保持される。
【先行技術文献】
【特許文献】
【０００５】
【特許文献１】特開２０１２−１６９２１９号公報
【発明の概要】
【発明が解決しようとする課題】
【０００６】
しかしながら、上述した従来のシールドコネクタ５０１は、金属製のタブ端子５２１と弾性接触片５２５との接触面同士が端子挿入方向に沿った面方向に摺接して電気的に接続されるため、コネクタ挿抜力が大きくなるという問題があった。また、接触面同士が端子挿入方向に沿った面方向に摺接して電気的に接続される接触構造は、端子長手方向に沿った摺接方向に接触面積を延在させて確保しなければならないため、コネクタの体格が大きくなるという問題があった。
【０００７】
本発明は上記状況に鑑みてなされたもので、その目的は、コネクタ挿抜力が低減でき、コネクタ体格の小型化が可能となるコネクタを提供することにある。
【課題を解決するための手段】
【０００８】
本発明に係る上記目的は、下記構成により達成される。
（１）  相手の雄端子が電気的に接続される端子接続部と、前記端子接続部に連設されて導体が電気的に接続される導体接続部とを有する雌端子と、前記雌端子を保持する電気絶縁性の雌側ハウジングと、を備えたコネクタであって、前記雌端子は、前記雄端子の嵌合方向と交差する方向に延出して平板状に形成された前記端子接続部に穿設された雄端子挿抜口と、前記雄端子挿抜口の開口周縁部に固定された固定側端から雄端子挿抜口中心に向って延びると共に、前記雄端子挿抜口の開口周縁部に沿って所定間隔に配置されることで、自由側端が前記雄端子挿抜口に挿入された前記雄端子に対して弾性的に接触する複数のばね接触片と、を備えることを特徴とするコネクタ。
【０００９】
上記（１）の構成のコネクタによれば、雄端子の嵌合方向と交差する方向に延出して平板状に形成された雌端子の端子接続部に、雄端子挿抜口が穿設され、この雄端子挿抜口には雄端子が挿入される。即ち、雄端子は、雌端子の平板状の端子接続部に対し垂直方向から挿入される。雄端子挿抜口の開口周縁部には、複数のばね接触片の自由側端が雄端子挿抜口中心に向かって延設される。ばね接触片は、雄端子挿抜口に挿入される雄端子に押圧され、挿入方向に押し曲げられるように弾性変形させられる。弾性変形させられたそれぞれのばね接触片は、弾性復元力によって雄端子の外周面に押し付けられた状態で接触する。ばね接触片は、雄端子の外周面に追従して摺接し、雄端子挿抜口への雄端子の受け入れを許容する。このように、複数のばね接触片は、雄端子の挿入方向に対して交差（例えば直交）する方向に固定側端と自由側端が離間する片持ち梁状のばね構造として配置される。これら複数のばね接触片により、単位面積当たりの接触荷重が大きい電気接続状態となりながら、総接触荷重の増大が抑止される。また、雌端子の平板状の端子接続部に対し雄端子が垂直方向から挿入されるので、接触面同士が端子挿入方向に沿った面方向に摺接して電気的に接続される従来の接触構造に比べ、少ないスペースでの電気的接続が可能となり、コネクタ体格の小型化が可能となる。
【００１０】
（２）  上記（１）の構成のコネクタであって、前記固定側端が、前記端子接続部の雄端子挿入側面と反対側の面に固定され、前記自由側端の先端部が、前記雄端子挿抜口の中心近傍に配置されることを特徴とするコネクタ。
【００１１】
上記（２）の構成のコネクタによれば、例えばばね接触片が雄端子挿入側面に固定される場合のように、開口周縁部と雄端子とにより生じる過剰な剪断力がばね接触片に作用することがなくなる。そして、ばね接触片は、固定側端の固定部が、雄端子挿抜口の開口周縁部から半径方向外側の適宜な位置に配置可能となる。すなわち、ばね接触片は、適切な弾性力が得られるように、雄端子の外周面から所望距離だけ曲がり開始位置を離すことが可能となる。これにより、最適なばね性が容易に確保可能となる。
【００１２】
（３）  上記（１）の構成のコネクタであって、前記固定側端が、前記端子接続部の雄端子挿入側面に固定され、折り曲げ形成された前記自由側端の先端部が、前記雄端子の挿入時に、前記端子接続部の雄端子挿入側面と反対側の面上をスライドすることを特徴とするコネクタ。
【００１３】
上記（３）の構成のコネクタによれば、固定側端が雄端子挿入側面に固定されたばね接触片は、雄端子挿抜口中心に向かって延出した後、屈曲されて雄端子挿入側面と反対側の面に沿って、自由側端が雄端子挿抜口の半径方向外側に延出する。即ち、ばね接触片は、雄端子挿抜口中心に近接するＬ字状屈曲部を有して長尺に形成される。そして、このＬ字状屈曲部の一方側である固定側端が雄端子挿入側面に固定され、他方側である自由側端が雄端子挿入側面と反対側の面上に配置される。雄端子挿抜口に雄端子が挿入されると、Ｌ字状屈曲部が雄端子によって半径方向外側に押圧される。この際、自由側端の先端部が、雄端子挿入側面と反対側の面上をスライドしながら半径方向外側に移動される。従って、ばね接触片は、片持ち梁状態でありながらばね定数を増大させることなく雄端子との接触荷重を大きくすることができ、コネクタ挿抜力を低減することができる。
【００１４】
（４）  上記（３）の構成のコネクタであって、前記固定側端が、前記端子接続部の雄端子挿入側面に固定され、折り曲げ形成された前記自由側端の先端部が、前記端子接続部の雄端子挿入側と反対側においてスライドを規制されることを特徴とするコネクタ。
【００１５】
上記（４）の構成のコネクタによれば、固定側端が雄端子挿入側面に固定されたばね接触片は、雄端子挿抜口中心に向かって延出した後、屈曲されて雄端子挿入側面と反対側の面に沿って、自由側端が雄端子挿抜口の半径方向外側に延出する。即ち、ばね接触片は、雄端子挿抜口中心に近接するＬ字状屈曲部を有して長尺に形成される。そして、このＬ字状屈曲部の一方側である固定側端が雄端子挿入側面に固定され、他方側である自由側端が雄端子挿入側と反対側に配置される。雄端子挿抜口に雄端子が挿入されると、Ｌ字状屈曲部が雄端子によって半径方向外側に押圧される。同時に、自由側端も半径方向外側に移動されるが、自由側端の先端部は雄端子挿入側と反対側における端子接続部の係止突起や雌側ハウジングの壁部等に当接することによってそのスライドが規制される。従って、ばね接触片は、完全に両持ち梁状態となって、雄端子との接触がより確実になる。また、ばね接触片は、両持ち梁状のばね構造として配置されることで、固定側端から自由側端までの長尺の全長に亘って弾性変形し、弾性限度に対し余裕を持った範囲での弾性変形が可能となる。これにより、ばね接触片がへたりにくくなる。
【発明の効果】
【００１６】
本発明に係るコネクタによれば、コネクタ挿抜力が低減でき、コネクタ体格の小型化が可能となる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明の第１実施形態に係るコネクタにおける雌端子と雄端子の接続前の要部斜視図である。
【図２】本発明の第１実施形態に係るコネクタの雌端子と雄端子の接続状態を示す縦断面図である。
【図３】（ａ）は円柱端子対応の雄端子挿抜口を有した雌端子の要部平面図、（ｂ）は平タブ端子対応の雄端子挿抜口を有した雌端子の要部平面図である。
【図４】（ａ）は図２に示したコネクタにおける雄端子挿入前の要部縦断面図、（ｂ）は（ａ）の雄端子挿入後の要部縦断面図である。
【図５】本発明の第２実施形態に係るコネクタにおける雌端子と雄端子の接続前の要部斜視図である。
【図６】本発明の第２実施形態に係るコネクタの雌端子と雄端子の接続状態を示す縦断面図である。
【図７】（ａ）は図５に示したばね接触片の全体斜視図、（ｂ）は図５に示した雌端子の端子接続部の一部分を切り欠いた要部斜視図である。
【図８】（ａ）は図６に示したコネクタにおける雄端子挿入前の要部縦断面図、（ｂ）は（ａ）の雄端子挿入後の要部縦断面図である。
【図９】従来のシールドコネクタの要部縦断面図である。
【発明を実施するための形態】
【００１９】
以下、本発明に係る実施形態を図面を参照して説明する。
図１及び図２に示すように、本発明の第１実施形態に係るコネクタ１１は、雌端子１３と、雌側ハウジング１５と、を備える。雌端子１３は、相手の雄端子１７が電気的に接続される端子接続部１９と、端子接続部１９に連設されて導体２１が電気的に接続される導体接続部２３とを有する。端子接続部１９と接続される雄端子１７は、円柱端子の端子先端にテーパー２５或いはＲ面をつけた形状で形成される。なお、本実施形態の雄端子１７は円柱端子を例に説明するが、平タブ端子を用いることもできる。
【００２０】
本第１実施形態の雌端子１３は、円板状の端子接続部１９を有する。端子接続部１９は、雄端子１７の嵌合方向と交差する方向に延出して平板状に形成され、端子接続部１９には導体接続部２３が連設される。導体接続部２３は、端子接続部１９から延出する底板部２７を介して端子接続部１９に接続される。導体接続部２３は、底板部２７の両側部から起立する一対の導体加締め片部２９と、一対の絶縁電線加締め片部３１と、を有する。導体加締め片部２９は、絶縁被覆３３が除去された電線３５の導体２１に圧着される。絶縁電線加締め片部３１は、絶縁被覆３３の上から圧着されて電線３５に固定される。これにより、電線３５の端末に雌端子１３が圧着固定される。
【００２１】
端子接続部１９には、雄端子形状に対応する雄端子挿抜口３７が穿設される。雄端子挿抜口３７は、雄端子１７が円柱端子の場合、図３（ａ）に示す円形穴となり、雄端子１７が平タブ端子の場合、図３（ｂ）に示す方形穴となる。
【００２２】
図１に示すように、雄端子挿抜口３７の開口周縁部３９には、複数（本実施形態では４つ）のばね接触片４１が、雄端子挿抜口３７の開口周縁部３９に沿って所定間隔（本実施形態では等間隔）に配置されている。ばね接触片４１は、端子接続部１９に固定された固定側端４３から雄端子挿抜口中心に向って延設される。更に、ばね接触片４１は、開口周縁部３９から雄端子挿抜口中心に向かって突出することで、自由側端４５が雄端子挿抜口３７に挿入された雄端子１７に対して弾性的に接触可能となっている（図２参照）。
【００２３】
図１及び図２に示すように、短冊状に形成されたばね接触片４１は、固定側端４３が端子接続部１９の雄端子挿入側面４７と反対側の面４９（図２中、上側の面）に固定され、自由側端４５の先端部４４が雄端子挿抜口３７の中心近傍に配置される。本第１実施形態のばね接触片４１は、雄端子挿入側面４７と反対側の面４９に配設されることで、後述するようにばねの折れが抑制されている。
【００２４】
本第１実施形態では４つのばね接触片４１が円周方向に等間隔に配置されることから、それぞれのばね接触片４１は円周方向に９０°ごとに配設されている。なお、ばね接触片４１は、最小数が２つとなる。また、最大数の限定はない。例えば、ばね接触片４１は、線状のものを円周方向に多数及び軸線方向に多段状に配設してもよい。これにより、接触面積を容易に増加させることが可能となる。これらのばね接触片４１の固定側端４３は、例えば端子接続部１９にスポット溶接等によって固定される。更に、複数のばね接触片４１は、雄端子挿抜口３７の開口周縁部３９に沿って等間隔に配置されるものに限らず、雄端子挿抜口３７に挿入された雄端子１７に対して弾性接触力を均等に付与することができる所定間隔であれば種々の配置が可能である。
【００２５】
図２に示すように、本第１実施形態の雌側ハウジング１５は、電気絶縁性の合成樹脂材によって形成され、雌端子１３を保持する。雌側ハウジング１５には、ハウジング結合面５１（図２中、下側面）が形成される。ハウジング結合面５１は、雄端子１７を収容する雄側ハウジング５３と当接する。このハウジング結合面５１には、雌端子収容凹部５５が凹設される。雌端子収容凹部５５は、雌端子１３の外形状に対応して形成され、雌端子１３をがたつき無く収容する。この雌端子収容凹部５５の内壁面には複数の離脱規制突起５７が突設され、雌端子１３の外周縁を係止した離脱規制突起５７は雌端子収容凹部５５からの雌端子１３の脱落を規制する（図５参照）。
【００２６】
雌端子収容凹部５５の底面には、雄端子収容部５９が設けられる。雄端子収容部５９は、収容される雌端子１３の雄端子挿抜口３７に対応して凹設され、ばね接触片４１の撓み可能空間を画成する。即ち、雄端子収容部５９は、雄端子１７の収容空間に加えて、ばね接触片４１の変形を許容する撓み空間も含んで構成されている。
【００２７】
雌側ハウジング１５の外周面には、ロック穴６１が形成される。ロック穴６１には、雄側ハウジング５３から突出するロックアーム６３のロック突起が係止される。雌側ハウジング１５と雄側ハウジング５３とは、ハウジング結合面５１に雄側ハウジング段部６５が当接すると、ロック穴６１にロックアーム６３のロック突起が係止されて離脱不能に結合される。
雄側ハウジング５３に保持された雄端子１７は、雌側ハウジング１５と雄側ハウジング５３とがコネクタ結合されることで、雄端子収容部５９の所定深さに配置される。この際、雄端子１７は、先端部が雄端子収容部底面６７との間にクリアランスを有して配置されることが好ましい。
【００２８】
次に、上記構成を有する第１実施形態に係るコネクタ１１の作用を説明する。
本第１実施形態に係るコネクタ１１によれば、雄端子１７の嵌合方向と交差する方向に延出して平板状に形成された雌端子１３の端子接続部１９に、雄端子挿抜口３７が穿設され、この雄端子挿抜口３７には雄端子１７が挿入される。即ち、雄端子１７は、雌端子１３の平板状の端子接続部１９に対し垂直方向から挿入される。
【００２９】
雄端子挿抜口３７の開口周縁部３９には、図４（ａ）に示すように、４つのばね接触片４１の自由側端４５が雄端子挿抜口中心に向かって延設されている。図４（ｂ）に示すように、雄端子１７が雄端子挿抜口３７に挿入されると、雄端子１７のテーパー２５に沿って、ばね接触片４１が変形して、雄端子１７の外側面にばね接触片４１が追従して接触する。この際、ばね接触片４１は、雄端子挿抜口３７に挿入される雄端子１７に押圧され、挿入方向に押し曲げられるように弾性変形させられる。弾性変形させられたそれぞれのばね接触片４１は、弾性復元力によって雄端子１７の外周面に押し付けられた状態で接触する。
【００３０】
ばね接触片４１は、雄端子１７の外周面に追従して摺接し、雄端子挿抜口３７への雄端子１７の受け入れを許容する。このように、４つのばね接触片４１は、雄端子１７の挿入方向に対して交差（本第１実施形態では、直交）する方向に固定側端４３と自由側端４５が離間する片持ち梁状のばね構造として配置されている。
【００３１】
これら４つのばね接触片４１により、単位面積当たりの接触荷重が大きい電気接続状態となりながら、総接触荷重の増大が抑止される。また、雌端子１３の平板状の端子接続部１９に対し雄端子１７が垂直方向から挿入されるので、接触面同士が端子挿入方向に沿った面方向に摺接して電気的に接続される従来の接触構造（図９参照）に比べ、少ないスペースでの電気的接続が可能となり、コネクタ体格の小型化が可能となる。
【００３２】
また、本第１実施形態のコネクタ１１では、ばね接触片４１は、雌端子１３の雄端子挿入側面４７と反対側の面４９において、固定側端４３が固定されるとともに、自由側端４５が雄端子挿抜口中心の近傍に配置されている。このため、例えばばね接触片４１が雄端子挿入側面４７に固定される場合のように、開口周縁部３９と雄端子１７とにより生じる過剰な剪断力がばね接触片４１に作用することがなくなる。そして、ばね接触片４１は、固定側端４３の固定部が、雄端子挿抜口３７の開口周縁部３９から半径方向外側の適宜な位置に配置可能となる。すなわち、ばね接触片４１は、適切な弾性力が得られるように、雄端子１７の外周面から所望距離だけ曲がり開始位置を離すことが可能となる。これにより、最適なばね性が容易に確保可能となる。
【００３３】
更に、本第１実施形態のコネクタ１１では、雌端子１３を保持する雌側ハウジング１５に雄端子収容部５９が設けられている。雌側ハウジング１５の雄端子収容部５９には、雌端子１３の端子接続部１９を貫通して進入した雄端子１７の挿入に伴って変形するばね接触片４１の撓みを可撓とする撓み可能空間が設けられている。そこで、ばね接触片４１の自由な変形が可能となる。
また、雄端子１７に対し弾性接触状態となったばね接触片４１は、撓み可能空間に配置されていることで雌側ハウジング１５に覆われる。そこで、他部材と接触することによる電気的接続の解除が防止され、電気的接続の信頼性が確保される。
【００３４】
次に、本発明の第２実施形態に係るコネクタ６９を説明する。
図５及び図６に示すように、本発明の第２実施形態に係るコネクタ６９は、ばね接触片７３がＬ字状屈曲部７５を有している（図７（ａ）参照）。なお、本第２実施形態に係るコネクタ６９において、上記第１実施形態に係るコネクタ１１の構成部品と略同様の構成部品については、同符号を付して詳細な説明を省略する。
ばね接触片７３の固定側端４３は、端子接続部７７の雄端子挿入側面４７にスポット溶接等によって固定される。折り曲げ形成された自由側端４５の先端部４４は、端子接続部７７の雄端子挿入側面４７と反対側の面４９上に配置される。雄端子挿抜口３７に雄端子１７が挿入されると、本第２実施形態における自由側端４５の先端部４４は、摺動面４４ｂが反対側の面４９上をスライドしながら半径方向外側に移動され、係止面４４ａがこの反対側の面４９に突設された係止突起７９に当接してスライドを規制される(図６参照)。
【００３５】
端子接続部７７の係止突起７９は、雄端子挿抜口３７の外側に沿って連続して円環状に形成されていてもよく、分割された複数の円弧状突起で形成されてもよい。円環状の係止突起７９より内側の端子接続部７７には、開口周縁部３９に起立する周壁８１が連続して形成されている。周壁８１は、図８（ａ）に示すように、ばね接触片７３の先端屈曲部８３に当接する。ばね接触片７３は、先端屈曲部８３が周壁８１に当接することで、Ｌ字状屈曲部７５が雄端子挿抜口中心に必要以上に接近することが規制される。即ち、Ｌ字状屈曲部７５は、先端屈曲部８３が周壁８１に移動規制されることで、雄端子１７の容易な受け入れを可能とする最適位置に位置決めされている。
【００３６】
上記構成を有する第２実施形態に係るコネクタ６９の作用を説明する。
本第２実施形態のコネクタ６９では、図８（ａ）に示すように、ばね接触片７３の固定側端４３が雄端子挿入側面４７に固定される。固定側端４３が雄端子挿入側面４７に固定されたばね接触片７３は、雄端子挿抜口中心に向かって延出した後、屈曲されて雄端子挿入側面４７と反対側の面４９に沿って、自由側端４５が雄端子挿抜口３７の半径方向外側に延出する。即ち、ばね接触片７３は、雄端子挿抜口中心に近接するＬ字状屈曲部７５を有して長尺に形成されている。
【００３７】
そして、このＬ字状屈曲部７５の一方側である固定側端４３が雄端子挿入側面４７に固定され、他方側である自由側端４５が雄端子挿入側面４７の反対側の面４９上に配置されている。図８（ｂ）に示すように、雄端子挿抜口３７に雄端子１７が挿入されると、Ｌ字状屈曲部７５が雄端子１７によって半径方向外側に押圧される。同時に、自由側端４５も半径方向外側に移動されるが、自由側端４５の先端部４４は、摺動面４４ｂが反対側の面４９上をスライドしながら半径方向外側に移動される。そして、半径方向外側に所定以上移動した自由側端４５の先端部４４は、係止面４４ａが雄端子挿入側と反対側における端子接続部７７の係止突起７９に当接することによってそのスライドが規制される。
【００３８】
従って、本第２実施形態に係るコネクタ６９によれば、これら４つのばね接触片７３により、単位面積当たりの接触荷重が大きい電気接続状態となりながら、総接触荷重の増大が抑止される。また、雌端子７１の平板状の端子接続部７７に対し雄端子１７が垂直方向から挿入されるので、接触面同士が端子挿入方向に沿った面方向に摺接して電気的に接続される従来の接触構造（図９参照）に比べ、少ないスペースでの電気的接続が可能となり、コネクタ体格の小型化が可能となる。
更に、本第２実施形態のばね接触片７３は、自由側端４５の先端部４４に形成された摺動面４４ｂが、反対側の面４９上をスライドしながら半径方向外側に移動されるので、片持ち梁状態でありながらばね定数を増大させることなく雄端子１７との接触荷重を大きくすることができ、コネクタ挿抜力を低減することができる。
そして、半径方向外側に所定以上移動した自由側端４５の先端部４４は、係止面４４ａが雄端子挿入側と反対側における端子接続部７７の係止突起７９に当接することによってそのスライドが規制される。そこで、ばね接触片７３は、完全に両持ち梁状態となって雄端子１７との接触がより確実になる。また、ばね接触片７３は、両持ち梁状のばね構造として配置されることで、固定側端４３から自由側端４５までの長尺の全長に亘って弾性変形し、弾性限度に対し余裕を持った範囲での弾性変形が可能となる。これにより、ばね接触片７３がへたりにくくなって、長期にわたり高い電気接続信頼性が得られる。なお、半径方向外側に所定以上移動した自由側端４５の先端部４４は、係止面４４ａが端子接続部７７の係止突起７９に当接することによってそのスライドが規制されるが、本発明はこれに限定されるものではなく、雄端子挿入側と反対側における雌側ハウジングの壁部等によってそのスライドが規制される構成とすることもできる。
【００３９】
従って、上記第１又は第２実施形態に係るコネクタ１１又はコネクタ６９によれば、コネクタ挿抜力が低減でき、コネクタ体格の小型化が可能となる。
なお、本発明は、上述した各実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４０】
１１…コネクタ
１３…雌端子
１５…雌側ハウジング
１７…雄端子
１９…端子接続部
２１…導体
２３…導体接続部
３７…雄端子挿抜口
３９…開口周縁部
４１…ばね接触片
４３…固定側端
４４…先端部
４５…自由側端
４７…雄端子挿入側面
４９…反対側の面
５９…雄端子収容部
【図１】
2014216255.tif 000003
【図２】
2014216255.tif 000004
【図３】
2014216255.tif 000005
【図４】
2014216255.tif 000006
【図５】
2014216255.tif 000007
【図６】
2014216255.tif 000008
【図７】
2014216255.tif 000009
【図８】
2014216255.tif 000010
【図９】
2014216255.tif 000011